(57)【特許請求の範囲】
【請求項１】
型（２）と対向型（５）とを用いて可撓性壁を有する三次元物品を製造する方法であって、
前記型（２）と前記対向型（５）との間に、得られる前記三次元物品の体積に対応する体積が画定され、
前記三次元物品は、前記型の内面に固定されるテンプレート（１）に取り付けられる、可撓性の薄板状部品（３）で構成され、
前記薄板状部品（３）は、前記対向型と、テンプレート（１）と、前記薄板状部品の対向する縁部（１０）との間で境界が定められるチャネル（６）のネットワークを通して、流動状態で注入される接着材料を用いて接合され、
前記テンプレート（１）は、
弾性変形可能な材料であり、
前記対向型（５）に前記薄板状部品の縁部（１０）を押し付けるために、少なくとも、隣接する前記薄板状部品（３）の前記対向する縁部（１０）を分離するチャネル（６）の境界を定める領域部分に沿った位置において、前記型（２）と前記薄板状部品（３）との間の距離「Ｄ」よりも大きな厚みを有し、
三次元形状を有し、
少なくとも、前記薄板状部品（３）が配置される表面上に、製造される前記三次元物品の形状を再現し、
前記テンプレート（１）は、前記薄板状部品（３）を受け入れるように意図された表面上に、隣接する前記薄板状部品（３）の前記対向する縁部（１０）間で規定されるチャネル（６）の境界を定めるリブ（７）を有することを特徴とする、方法。
【請求項２】
前記テンプレート（１）は、隣接する前記薄板状部品（３）の前記対向する縁部（１０）間で境界が定められる前記チャネル（６）と一致して延びる溝（８）を有し、前記溝は、前記チャネル（６）よりも広いことを特徴とする、請求項１に記載の方法。
【請求項３】
隣接する前記薄板状部品（３）の対向する縁部（１０）は、凹型であり、前記縁部（１０）と、前記テンプレート（１）の表面と、前記対向型（５）との間で規定されるチャネル（６）を通して注入される材料によって閉塞されることを特徴とする、請求項１または２に記載の方法。
【請求項４】
前記テンプレート（１）の溝（８）の境界は、前記溝（８）に沿ったリブ（７’）によって定められることを特徴とする、請求項２に記載の方法。
【請求項５】
前記テンプレート（１）がシリコーンで作製されることを特徴とする、請求項１〜４のいずれか１項に記載の方法。
【請求項６】
前記対向型（５）の表面の少なくとも一部に、弾性変形可能な材料から作製されたテンプレートが配置されることを特徴とする、請求項１〜５のいずれか１項に記載の方法。
【請求項７】
前記テンプレート（１）は、前記型の小チャネル（１６）のネットワークと一致する孔（１５）を有し、前記小チャネル（１６）のネットワークを介して、前記孔（１５）が真空源に接続されることを特徴とする、請求項１〜６のいずれか１項に記載の方法。
【請求項８】
前記薄板状部品（３）は、その縁部（１０）に近接して、前記接着材料が注入されるチャネル（６）と連通する孔（３’）を有することを特徴とする、請求項１〜７のいずれか１項に記載の方法。
【請求項９】
前記薄板状部品（３）の対向する縁部（１０）は、前記対向型（５）内に形成された溝（３２）に取り付けられ、収容されているストリップ（３１）に従って曲がることを特徴とする、請求項１〜８のいずれか１項に記載の方法。
【請求項１０】
前記対向型は、前記溝（３２）が形成された剛性または半剛性のカバー（３３）で構成されることを特徴とする、請求項９に記載の方法。
【請求項１１】
前記テンプレート（１）は、前記孔（１５）の口の周りに、マイクロファイバー部品（１１’）が配置される周辺中空部（１５’）を有することを特徴とする、請求項７に記載の方法。
【請求項１２】
前記薄板状部品の縁部（１０’）間の分離箇所と一致する位置において、前記対向型は、注入された接着材料で充填されるチャネル（６）を形成し、前記材料が固化すると、補強コード（９’）を形成することを特徴とする、請求項１０に記載の方法。
【請求項１３】
一旦前記接着材料が注入され硬化されると、前記対向型（５）は、第２の対向型（５’）に置き換えられ、前記第２の対向型（５’）は、薄板状部品（３）と共に、固化したときに衝撃吸収層（３６）を形成する材料が注入されるチャンバ（３５）を画定することを特徴とする、請求項１〜１２のいずれか１項に記載の方法。
【請求項１４】
前記対向型（５’）は、前記薄板状部品（３）に面する表面上に、前記薄板状部品に当接する針を有し、前記対向型が分離されることによって、注入された前記材料に通気孔（３７）を形成することを特徴とする、請求項１３に記載の方法。
【請求項１５】
前記薄板状部品（３）の裏側において、前記チャンバ（３５）内に注入された材料に忌避剤が塗布されることを特徴とする、請求項１３に記載の方法。
【請求項１６】
前記薄板状部品（３）は、その裏側において、防水膜を保持することを特徴とする、請求項１〜１５のいずれか１項に記載の方法。
【発明の詳細な説明】
【技術分野】
【０００１】
本発明は、履物、ハンドバッグ、衣料品、座席用家具等のような可撓性壁を有する三次元物品であって、一般に、可撓性の薄板状部品からなる可撓性外壁によって境界が定められ（limited）、当該薄板状部品の対向する縁部によって互いに接合される、あらゆる種類の物品を製造する方法に関する。
【０００２】
本発明の方法は、内層を備えることのできる可撓性壁を有する物品の製造に適用することができ、当該内層は、可撓性の性質のものであってもよく、薄板状部品で構成されるか、または薄板状部品で構成されないものであってもよい。
【０００３】
本発明の方法は、可撓性の外壁を含む物品の製造にも適用することができ、当該物品は、例えば、座席家具、車両のダッシュボードなどを形成するための半剛性の内壁または芯を含み得る。
【０００４】
より具体的には、本発明の方法は、型と対向型を用いることによる、露出するようなタイプの物品の製造について着想され、前記型と前記対向型との間に、得られる前記物品の体積に対応する体積が画定されており、前記物品は、前記型の内面に取り付けられている可撓性テンプレートに取り付けられている複数の可撓性薄板状部品で構成されており、前記薄板状部品は、前記型と、前記可撓性テンプレートと、前記薄板状部品の対向する縁部との間で規定されたチャネルのネットワークを通して流動状態で注入される接着材料によって互いに接合される、方法である。
【背景技術】
【０００５】
履物、車両座席、ハンドバッグなどの可撓性壁を有する三次元物品の従来の製造は、縫製、ヒートシールなどによって、それらを構成する部品を１つずつ連続的に接合することによって行われ、これは、大きな労働力を必要とし、得られた物品に対して三次元の安定性を提供しない。さらに、縫合または接着のいずれかによる、連続する前記部品間の接続は、接合される前記部品の縁部の重複を必要とするという事実のために、得られる物品のデザインおよび快適さが制限される。
【０００６】
さらに、継ぎ目は、継ぎ目の糸が通過する穴を必要とし、その穴は、水分が浸透する手段となる。得られる物品が不浸透性でなければならない場合、特殊な膜、内側シールテープなどで作られた裏地を使用する必要があり、これらはすべて、より高い製造コストを伴う。
【０００７】
ＰＣＴ／ＥＳ２０１２／０７０１３９により、型と対向型との間に、得られる物品の形状および体積によってチャンバが画定されている、型および対向型を用いて可撓性三次元物品を製造する方法が知られている。この物品は、薄板状部品から作られており、その対向する縁部は、わずかに分離されている。当該薄板状部品は、前記型と対向型との間に配置され、当該型および対向型は、前記薄板状部品の厚さにほぼ等しい距離だけ互いに分離されている。隣接する前記薄板状部品の対向する縁部の間で、前記型および対向型が、凝固することによって、前記層状部分を接合するための手段としての役割を果たす、流体状態のプラスチック材料が注入されるチャネルおよび体積を決定する。得られる物品を形成する前記薄板状部品の配置を容易にするために、可撓性層状テンプレートを用いてもよく、前記部品を当該テンプレートに固定し、適切に配置した後、当該テンプレートを、前記薄板状部品の開放表面（free surface）によって、型の表面に固定させる。
【０００８】
可撓性層状テンプレートの使用によって、前記型から得られる物品を構成する、前記薄板状部品の配置を容易となり、当該層状テンプレートが可撓性であるという事実によって、それ自体の変形が可能となり、前記対向型の導入が容易となる。
【０００９】
前記テンプレートへの前記薄板状部品の固定は、通常、接着剤を用いて行われる。この固定方式は、前記薄板状部品を前記テンプレートに位置決めする際に高い精度を必要とし、かなりの時間を必要とする。
【００１０】
他方、前記薄板状部品を固定するための手段として接着剤を使用する場合、前記部品が多孔性または透過性である場合、接着剤を含浸し、このことは、これらのタイプの薄板状部品を有するテンプレートの使用を妨げる。
【００１１】
前記層状テンプレートが前記対向型を包む場合には、離型処理において、対向型を抜き出すために切断せねばならず、このことは、前記テンプレートが破壊されなければならず、それ自体の再利用を妨げることを意味している。
【００１２】
層状テンプレートを使用する別の欠点は、流体状態のプラスチック材料が注入されるチャネルの境界において封止の欠如が起こり得ることである。
【００１３】
この状況は、前記型を閉じるときに、前記層状テンプレートが、切断部分の緊密性および完全な閉鎖を提供しないことを意味する。その結果、注入された材料は、流体状態で、前記テンプレートと前記切断部分との間に浸透することが可能となり、前記部品に表面汚染を生じさせる。
【発明の概要】
【００１４】
本発明の目的は、上述したタイプの可撓性壁を有する三次元物品を製造するための方法によって、前述の問題を排除することであり、当該方法は、弾性変形可能な材料由来の三次元可撓性テンプレートの使用を含み、この方法により、前記テンプレートが、前記型と対向型との間で圧縮されると、プラスチック材料が流体状態で注入されるチャネルの、縁部または境界の完全な密封が可能になる。
【００１５】
上記の構成によれば、前記テンプレートは、前記対向型が取り付けられることによって変形し、これにより、組立品（assembly）の取り付けを容易にすることができる。
【００１６】
別の利点は、前記テンプレートが、前記型と対向型との間に前記薄板状部品を固定するための手段としての役割を果たすということである。
【００１７】
本発明によると、前記テンプレートは、三次元形状を有し、少なくとも前記薄板状部品が配置される表面上に、製造される物品の形を再現し、前記テンプレートは、シリコーンのような弾性変形可能な材料を成形することによって得られる。
【００１８】
前述のテンプレートの壁は、少なくとも、流体状態のプラスチック材料が注入されるチャネルの境界を定める領域部分の全体にわたって、前記型の表面と、前記可撓性薄板状部品の対向する表面との間の距離よりも大きい厚みを有しており、その結果、前記対向型を取り付けることで、前記可撓性薄板状部品の縁部が前記型に対して押し付けられ、これによりチャネルが密封される。
【００１９】
前述の構成を有するテンプレートは、前記可撓性薄板状部品に面する表面上に、流体状態の前記プラスチック材料が注入されるチャネルと一致する溝を有することができ、当該溝は、好ましくは当該チャネルよりも幅広である。この対向するチャネルと溝は、より大きな断面を有するチャネルを規定し、当該チャネルによって、より大きな断面を有する接合コードを、隣接する前記薄板状部品の対向する縁部間に得ることができ、当該薄板状部品の縁部は、好ましくは、前記縁部が凹型である場合、前記コード内に閉塞される。
【００２０】
別の変形実施形態によれば、前記テンプレートは、前記薄板状部品を受け入れるように意図された表面上に、前記隣接する薄板状部品の対向する縁部間で規定される前記チャネルの境界を定めるリブを有していてもよく、当該リブは、前記対向型を取り付けることによって圧縮され、前記プラスチック材料が流体状態で注入される前記チャネルを密封する。
【００２１】
同様に、また同じ目的のために、前記テンプレートの溝は、長手方向のリブによって境界が定められてもよい。
【００２２】
上記の構成では、その上に前記可撓性薄板状部品を有するテンプレートを、前記対向型上に取り付けることができ、前記型を結合することによって、前記チャネルのネットワークの密封がその縁部に沿って達成され、流体状態で注入される前記材料がチャネルのネットワークの境界を超えることを防止する。
【００２３】
本発明の方法では、一般に熱成形によって得られる前記可撓性層状テンプレートを、三次元構造であって、好ましくは弾性変形可能な材料の型成形によって得られる、非層状構造を有するテンプレートで置き換えられ、当該テンプレートは、注入されたプラスチック材料が一旦固化すると、当該プラスチック材料に異なる効果をもたらすために、その表面に異なるテクスチャ（質感）を有することができる。
【００２４】
さらに、前記テンプレートは、その内面および外面の設計（デザイン）に差を有することができる。
【００２５】
記載された前記三次元テンプレートを利用することにより、得られる前記物品の壁面を構成する前記可撓性薄板状部品は、当該テンプレートと前記対向型との間に保持され、先行技術の可撓性層状テンプレートの場合のように、例えば接着剤を用いることによって、前記部品をテンプレートに予め固定することを必要とせずに、流体状態の前記材料を注入する間のそれらの位置決めを確実にする。
【００２６】
特に、前記テンプレートが、前記隣接する薄板状部品間の対向する縁部を分離するチャネルと一致する溝を有する上述の場合に、前記隣接する部品を接続する前記コード内に閉塞された前記可撓性層状部分の縁部を生成することができる。これにより、前記テンプレートにおける前記層状部品の配置は、前記部品の縁部が前記接合コードに隠されるために、前記テンプレートが層状構造である場合よりも精度を要求されない。
【００２７】
弾性変形可能な材料から作られる前記テンプレートの製造によって、角度、縁部、および一般的な形状を、層状テンプレートを使用するよりも高い精度で得ることを可能にする。
【００２８】
弾性変形可能な材料から作られた本発明の三次元テンプレートの高い変形能力は、複数の切断部を作成する必要なく、その取り付けおよび取り外しの両方を容易にし、このことは、既知の層状テンプレートに対してかなりの改善である。
【００２９】
三次元テンプレートであることによって、言い換えれば、特定の厚さを有し、可撓性であり、弾性変形可能であることによって、例えば、型に対して型を閉じることによって、前記テンプレートに加えられる圧力が前記薄板状部品に垂直な方向に当該薄板状部品に伝達されることを可能にする。このことは、前記テンプレートと前記薄板状部品との間の密封を確実にすることに加えて、前記部品の移動のリスクを伴うことなく、前記部品の位置決めを確実にし、維持する。
【００３０】
弾性変形可能な材料から作られた前記テンプレートの性質によって、その再利用が可能となり、リサイクル作業を回避し、また、望ましくない環境への悪影響を回避することができる。
【００３１】
本発明の方法を用いることにより、前記切断部を形成する、前記薄板状部品間の接続部が、その跡（tracing）とその色の両方のために装飾要素として機能する物品を得ることができる。
【００３２】
本発明の方法によって、三次元形状記憶（three-dimensional memory）を有する物品を得ることもでき、このことは、ユーザにとって優れた適合性および快適さをもたらす。
【図面の簡単な説明】
【００３３】
例示的な実施形態が、添付の図面に示されている:
【図１】靴を得るための、本発明に従って作製された層状テンプレートの斜視図を示す。
【図２】靴を得るために型に結合された図１の層状テンプレートの長手方向断面図を示す。
【図３】図２の細部Ａに対応する拡大図である。
【図４】可能な変形実施形態を示す、図３と同様の図である。
【図５】可能な変形実施形態を示す、図３と同様の図である。
【図６】可能な変形実施形態を示す、図３と同様の図である。
【図７】可能な変形実施形態を示す、図３と同様の図である。
【図８】可能な構造的細部の断面を示す。
【図９】可能な構造的細部の断面を示す。
【図１０】可能な構造的細部の断面を示す。
【図１１】可能な構造的細部の断面を示す。
【図１２】他の可能な変形実施形態の平面図および断面図を示す。
【図１３】他の可能な変形実施形態の平面図および断面図を示す。
【図１４】他の可能な変形実施形態の平面図および断面図を示す。
【図１５】他の可能な変形実施形態の平面図および断面図を示す。
【図１６】別の変形実施形態を示す、図２と同様の図である。
【図１７】本発明の方法によって得られた靴の型の断面を示す。
【図１８】別の変形実施形態を示す、図１６と同様の図である。
【図１９】図１８の細部Ａに対応する拡大図である。
【図２０】薄板状部品の減圧締結方式の変形実施形態の断面を示す。
【図２１】例示的な実施形態の別のセットを示す。
【図２２】例示的な実施形態の別のセットを示す。
【図２３】例示的な実施形態の別のセットを示す。
【図２４】例示的な実施形態の別のセットを示す。
【図２５】可能な変形実施形態の断面図を示す。
【図２６】本発明の方法を用いたシートの製造における、連続する工程を示す。
【図２７】本発明の方法を用いたシートの製造における、連続する工程を示す。
【図２８】本発明の方法を用いたシートの製造における、連続する工程を示す。
【図２９】本発明の方法を用いたシートの製造における、連続する工程を示す。
【発明を実施するための形態】
【００３４】
図１は、型と対向型とを用いることよって靴を製造するための三次元テンプレート（１）を示しており、当該型と対向型との間には、得られる物品の体積に対応する体積が画定されている。本事例は、靴を得ることを扱う。
【００３５】
図２に示されるように、テンプレート（１）は、型（２）の凹面上に適用され、型（２）上に配置されると、テンプレート（１）の内表面上に、薄板状部品（３）が靴の切断部を構成し、薄板状部品（３）は、互いに分離されて、当該部品の対向する縁部間にチャネル（６）を画定する。テンプレート（１）は、少なくとも薄板状部品（３）が適用される表面上に、得られる物品の形状を再現する。
【００３６】
テンプレート（１）は、弾性変形可能な材料から作製され、例えば、シリコーン製の型を用いることにより得ることができる。
【００３７】
一旦製造される物品の形状を有するテンプレート（１）が得られると、靴の切断部を形成する薄板状部品（３）が切断され、これらは、隣接する部品の縁部が互いに向き合い、当該縁部間にチャネル（６）を画定するように分離されて、テンプレート（１）の内表面上に配置される。次いで、テンプレート（１）は、１つ、２つ、またはそれ以上の部品から構成され得る型（２）内の薄板状部品（３）と結合される。最後に、前記対向型（図示せず）が、薄板状部品（３）上のテンプレート（１）と結合される。この場合、前記対向型は、靴型（last)形状を採用しており、型を閉じる。
【００３８】
前記靴型又は対向型はまた、少なくとも特定の領域において、シリコーンテンプレートを保持することができ、この領域においては、前記対向型に向けられた前記薄板状部品の表面が、前記対向型を効果的に密封することが、必要であるか又は便利である。他方、前記弾性変形可能なテンプレートを、前記型および対向型上に配置することにより、特に前記部品が注入された流体に対して透過性である場合に、得られる物品を構成する前記部品内における、注入された流体による汚染または浸透の危険性が排除される。
【００３９】
チャネル（６）は、テンプレート（１）によって外側が閉鎖され、図３の対向型（５）を用いることによって内側が閉鎖され、流動状態で注入される接着剤が通過するチャネル（６）のネットワークを形成する。前記接着剤は、凝固することによって、隣接する薄板状部品（３）の対向する縁部を接合するための手段として働く。
【００４０】
本発明によれば、テンプレート（１）は、シリコーンのような弾性変形可能な材料から得られ、図３の型（２）と薄板状部品（３）との間の距離「Ｄ」よりも大きい厚みを有し、少なくとも前記薄板状部品の縁部は、対向型（５）に押し付けられ、これによって、チャネル（６）の密封をチャネル（６）全体にわたって確実にする。この特徴は、チャネル（６）の境界を定める領域においてのみ前記テンプレートの厚さを増加させることによって達成することができる。例えば、図４のリブ（７）を用いることにより、リブ（７）は、前記チャネルの一方の側および他方の側に延び、型（２）と対向型（５）との間の緊密性によって圧縮される前記テンプレートにより、薄板状部品（３）に対して押圧されることで、チャネル（６）に対して長手方向の密封を提供する。
【００４１】
図５から分かるように、テンプレート（１）は、隣接する薄板状部品（３）の対向する縁部間で境界が定められているチャネル（６）と一致して延びる溝（８）を有しており、溝（８）は、チャネル（６）よりも厚く、これにより、一旦接着材料が固化されると、チャネル（６）を介して注入される接着材料によって形成される接合コード（９）の断面を増加させることができる。さらに、隣接する薄板状部品（２）の対向する縁部（１０）は、注入される材料を適用するコード（９）内に閉塞されるように窪ませることができ、これにより、接着表面を増大させ、前記縁部を隠す。窪んだ縁部が、テンプレート（１）に対して押圧されるこの場合、少なくともこれらの窪んだ縁部付近の領域において薄板状部品（２）の減圧締結方式がその時点で重要であり、さもなければ、接着剤を用いて一時的に固定することによって、注入工程の間の前記薄板状部品と前記テンプレートとの接続を維持する。
【００４２】
図６から分かるように、テンプレート（１）の溝（８）は、前述のリブ（７）と同様の機能を有するリブ（７’）によって境界を定めることができる。
【００４３】
図７の実施形態では、薄板状部品（３）が、弾性変形可能な材料で作製された三次元テンプレート（１）と、例えばプラスチック材料で作製されたシートによって形成された対向型（５）との間に置かれる。この対向型は、薄板状部品（３）の対向する縁部（１０）間の分離部分と一致する位置で、チャネル（８’）を形成する。次に、三次元テンプレート（１）は、縁部（１０’）の近傍にリブ（７’）を有する。この構成では、注入された接着材料を処理または凝固させることによって、大きな断面および強い抵抗を有する接合コード（９’）が得られ、接合コード（９’）は、得られた物品の壁面の背面から突出する。同時に、前記型と対向型とを閉じることによって、リブ（７’）は、対向型（５）に対して薄板状部品（３）の縁部を圧縮し、これらの構成要素間の確実な閉鎖を提供し、溶融状態の注入材料がこれらの構成要素間を流れることを防止する。
【００４４】
薄板状部品（３）の表面には、テンプレート（１）に形成された溝（８）（図５）を通して注入される接着材料と同じ接着材料から作製された装飾コード（８’）を適用することができる（図８）。
【００４５】
隣接する薄板状部品（３）の対向する前記縁部の接合は、例えば、チャネル（６）と一致する図９の補助シート（１１）を配置することにより、得られる製品の隠れている側の面によって補強することができる。この補助シートは、チャネル（６）と一致して延びているだけであるか、または図１０の裏地（１２）のように、部品（２）の表面全体を覆うことができ、前記裏地は、前述のチャネルと一致する凹部（１３）を有することができる。
【００４６】
また、図１１に示されるように、薄板状部品（３）上に、その縁部と一致して、布地シート（１２’）を適用することができ、この布地シート（１２’）は、チャネル（６）に隣接する領域（１３’）に、前記チャネルを通して注入された接着材料が浸透することにより、布地シート（１２’）間の接合手段として役立つ。
【００４７】
図１２及び１３に示すように、薄板状部品の（３）は、溝（８）と連通し、チャネル（６）と一致する、薄板状部品（３）の縁部（１０）に近接した孔（３’）を有することができる。このようにして、コード（９）を形成する注入された接着材料は、孔（３’）を充填し、凝固することによって、薄板状部品（１）間の機械的接合手段として働くリベットとして作用する。
【００４８】
変形例として、図１４および１５において、薄板状部品（１）の縁部（１０）は、隣接する薄板状部品（１）の接合されるべき前記対向する縁部の長さを増加させる、対向スリット（１０’）を有することができる。
【００４９】
本発明の方法は、可撓性である外層または外壁と、剛性であるかまたは半剛性である内層または充填材とから構成することができ、家具の一部、車両のダッシュボードなどから構成することができる三次元物品を得ることに適用可能である。
【００５０】
この目的のために、図１６に示すように、弾性変形可能な材料で作られたテンプレート（１’）が、型（２’）の内面に適用される。テンプレート（１’）は、得られる物品の外壁を構成し、分離線（４’）によって分離される、薄板状部品（３’）を保持する。対向型（５’）は、型（２’）に適用され、型（２’）と薄板状部品（３’）との間は、流体状態の材料が注入されるチャンバ（１４）である。当該材料が一旦凝固すると、薄板状部品（３’）から構成される、物品の外壁を構成する薄板状部品（３’）を接合する支持体（１４’）を構成する。対向型（５’）は、得られた最終物品の一部を形成することさえできる。薄板状部品（３’）を接合するためのこの方式では、得られる物品は、突起または外側リブ、ならびに前記薄板状部品間の分離を欠く。
【００５１】
型（２’）は、チャンバ（１５）を形成することができ、その内壁は、テンプレート（１’）と同様に、一致する孔（１６）を有することができ、孔（１６）を通して、ノズル（１７）によって構築された減圧手段によって、部品（３’）は、テンプレート（１’）に固定される。
【００５２】
テンプレート（１’）は、その内面および外面に異なるデザインを有することができ、かつ変形可能である。このことすべてが、前記テンプレートを破壊する必要なしに、前記型の取り付けおよび取り外しだけでなく、前記対向型の取り付けもまた容易にする。
【００５３】
特定の種類の物品、例えば履物の製造において、異なる材料の部品を配置することができる。図１７は、前記切断部を形成する前記薄板状部品と同じ材料で形成された靴のネック（１８）を示しており、当該ネックは、発泡体部分（１９）を包み込み、テンプレート（１）の内側に留まっている。テンプレート（１）は、ネック（１８）を閉じる接着剤が注入される孔（２１）の境界を定めるリブ（２０）を有しており、リブ（２０）は、テンプレート（１）が発泡体（１９）と接触するのを防止する。
【００５４】
最後に、得られる物体に関係なく、前記対向型の表面の少なくとも一部に、弾性変形可能な材料の前記テンプレートを配置することができることを言及せねばならない。
【００５５】
図１１を参照して説明したのと同様に、図１８は、三次元テンプレート（１’）が適用された、弾性変形可能な材料で作られた型（２’）を示しており、当該型は、前記切断部を形成する部品（３’）を保持する。
【００５６】
図１８および図１９において、テンプレート（１’）は、孔（１５）を設けることができ、その孔（１５）を通して、部品（３’）を固定するための手段として機能する負圧を適用することができる。次に、型（２’）は、小さなチャネル（１６）のネットワークを有することができ、当該小チャネル（１６）は、孔（１５）と適合する。小チャネル（１６）は、例えば、接続ノズル（１９）を備えたチャンバ（１８）を介して、真空源と連通している。このようにして、負圧の効果が全ての部品（３’）に均一に印加されると共に、前記部品をテンプレート（１’）に固定する効果が適用される。
【００５７】
図２０は、テンプレート（１’）において、孔（１５）の口の周りに、周辺中空部（１５’）が作製されている、可能な変形例の断面を示しており、周辺中空部（１５’）の中にはマイクロファイバー部品（１１’）が配置され、マイクロファイバー部品（１１’）を通して、孔（１５）を通して加えられる負圧によってもたらされる吸引が実施される。このようにして、薄板状部品（３）のより大きな吸引面積と、空気の損失に対する改善された閉鎖とが達成される。
【００５８】
図２１及び図２２は、本発明の方法を用いることによる、ブリーフケース（２２）の製造を示す。型（２）の内面には、ブリーフケースの可視面を形成する薄板状部品（３）を保持する三次元テンプレート（１）が配置されている。これらの薄板状部品には、例えば、プラスチック材料で作られた補強シート（２３）が適用され、その上には、対向型（５）に支持された内層（内側ライニング）（２４）が配置されている。連続する薄板状部品（３）の間で画定されるチャネル（６）には、接合コード（２５）を形成する接着材料が注入される。また、ブリーフケースを閉じるための手段としてのジッパ（２６）の配置も示されている。
【００５９】
同様に、図２３および２４は、自動車のダッシュボード（２７）がどのようにして得られるかを示している。型（２）の内面には、例えばシリコーン製の三次元テンプレート（１）が配置されており、当該三次元テンプレート（１）は、前記ダッシュボードの可視面を形成する薄板状部品（３）を保持する。これらの薄板状部品の上に、発泡層（２８）または同様のもの、例えば連続気泡発泡体が、適用される。続いて、薄板状部品（３）およびテンプレート（１）を押圧する突起またはリブ（３０）を有する、硬質または半硬質の支持体（２９）が、適用される。これにより、薄板状部品（３）を接合するためのコード（２５）を構成するために注入された材料が、前記薄板状部品ならびに発泡層（２８）を汚染することを防止する。このプロセスは、対向型（５）で完了する。
【００６０】
記載された実施形態では、コード（２５）は、跡およびその色の両方によって、得られた製品の装飾要素を形成することができる。
【００６１】
弾性変形可能な材料から作製されたテンプレートの使用は、その切断部または可視面の一部を形成し、テンプレートと対向型との間の分離距離よりも大きな厚さを有する部品を含むことを可能にする。
【００６２】
特定の厚さを有する弾性変形可能な材料のテンプレートを使用する別の利点は、前記型を開き、対向型および形成された物体を引き抜くときに、テンプレートが提供する容易さである。
【００６３】
また、図２５に示すように、隣接する薄板状部品（３）の前記対向する縁部は、硬質または半硬質のいずれかであり、対向型として作用して薄板状部品の組立体を覆うカバー（３３）に形成された溝（３２）の内側に取り付けられる、ストリップ（３１）に従って曲がり得ることも指摘しておく必要がある。これらの溝（３２）を用いることにより、接着材料が注入される。
【００６４】
溝（３２）は、長手方向に密封されて注入された接着材料の流出を防止するか、または前記材料の流出を可能にするように開くことができ、前記材料は、凝固することによって、薄板状部品によって形成された可視層を支持するための層を形成する。
【００６５】
カバー（３３）は省略することができ、その場合、溝（３２）は、前記対向型内に形成される。
【００６６】
上述の実施形態では、テンプレート（１）は、省略することもでき、薄板状部品（３）は型（２）によって直接支持される。
【００６７】
本発明の方法は、図２６〜図２９に示すように、クッション付きシート、例えば、車両用シートの製造に適用することができる。第１の工程において、図２６および２７を参照すると、薄板状部品（３）は、三次元テンプレート（１）に配置され、前記テンプレートは、型（２）の内面上に取り付けられる。薄板状部品（３）の縁部は、好ましくは、前記対向型に形成されたチャネル（６’）内に埋め込まれ、収容される。第１の注入処理において、チャネル（６’）内に隣接する薄板状部品（３）の対向する縁部を接合する役割を果たす接着剤が注入される。この接着剤が硬化すると、対向型（５）が分離され、第２の対向型（５’）が取り付けられる（図２８）。第２の対向型（５’）は、空間（５）を画定する薄板状部品（３）に当接する針（３４）を有している。第２の注入工程によって、空間（５）内に発泡体または同様の製品が注入され、この発泡体または同様の製品によって、前記薄板状部品（３）の後ろに、前記シートにおける衝撃吸収層（３６）が得られる（図２９）。
【００６８】
対向鋳型（５’）を取り外すことによって、発泡体層（３６）は、換気のための穿孔（３７）を有し、それによって、その後の穿孔プロセスを回避する。
【００６９】
薄板状部品（３）は、防水膜（３）によって、背面に保持されることができる。防水膜（３）は、注入された接着材料を用いる接合を可能にするために前記部品の縁部で排除されなければならない。この膜は、発泡体層（３６）と薄板状部品（３）との間の絶縁分離を要する領域に配置することができる。
【００７０】
また、前記薄板状部品の裏側には、第２の注入工程で注入された材料（発泡体または同様のもの）に忌避製品を適用することができ、これにより、衝撃吸収層（３６）から分離された外皮が得られる。
【図１】
0006938635.tif 000002
【図２】
0006938635.tif 000003
【図３】
0006938635.tif 000004
【図４】
0006938635.tif 000005
【図５】
0006938635.tif 000006
【図６】
0006938635.tif 000007
【図７】
0006938635.tif 000008
【図８】
0006938635.tif 000009
【図９】
0006938635.tif 000010
【図１０】
0006938635.tif 000011
【図１１】
0006938635.tif 000012
【図１２】
0006938635.tif 000013
【図１３】
0006938635.tif 000014
【図１４】
0006938635.tif 000015
【図１５】
0006938635.tif 000016
【図１６】
0006938635.tif 000017
【図１７】
0006938635.tif 000018
【図１８】
0006938635.tif 000019
【図１９】
0006938635.tif 000020
【図２０】
0006938635.tif 000021
【図２１】
0006938635.tif 000022
【図２２】
0006938635.tif 000023
【図２３】
0006938635.tif 000024
【図２４】
0006938635.tif 000025
【図２５】
0006938635.tif 000026
【図２６】
0006938635.tif 000027
【図２７】
0006938635.tif 000028
【図２８】
0006938635.tif 000029
【図２９】
0006938635.tif 000030